(57)【要約】【課題】パスワードの更新に依存せず、スキャンファイルの転送を継続的に実行する。【解決手段】メインネットワークを利用したＳｃａｎ  ｔｏ  ＳＭＢの通信プロトコルによる転送環境である、第１転送環境とは別に、サブネットワーク３４を構築し、独自の通信プロトコルを用いた転送環境を構築した（第２転送環境）。サブネットワーク３４における第２転送環境と判定された場合は、読み取った画像は、サブネットワーク管理領域３６の画像情報記憶部５６に記憶される。画像情報記憶部５６への画像情報の記憶が完了すると、読取画像の検索情報（ファイル名、読取日時等）が生成され、表示リスト記憶部６２に記憶されている表示リストを更新する。サブネットアクセス受付部６４は、サブネットワーク３４の範囲内のデバイス同士で、独自の通信プロトコルによって、秘匿性を持って通信可能な環境の下で通信（リスト閲覧要求、転送要求）が実行される。【選択図】図４
2018164135.tif 000002
【特許請求の範囲】
【請求項１】
画像読取機能で画像を読み取って生成した後のファイルを、認証が必要な第１通信手順を用いた主ネットワーク環境の記憶領域に記憶すると共に、前記主ネットワーク環境下の転送要求元に対して転送する第１転送手段と、
前記ファイルを、前記主ネットワーク環境の一部として構築され、かつ認証が不要な第２通信手順を用いた副ネットワーク環境の記憶領域に記憶すると共に、前記副ネットワーク環境下の転送要求元に対して転送する第２転送手段と、
を有する画像処理装置。
【請求項２】
前記副ネットワーク環境下の転送要求元に対して、当該副ネットワーク環境下で記憶されたファイルに関する検索情報を報知する報知手段をさらに有し、
前記報知手段は、前記画像読取機能で全ての画像を読み取り、かつ画像を前記副ネットワーク環境の記憶領域に記憶し終えた後、前記ファイルに関する検索情報を報知する請求項１記載の画像処理装置。
【請求項３】
前記副ネットワーク環境下で記憶されたファイルを削除する削除手段をさらに有し、
前記削除手段は、前記ファイルの削除指示があったときに、当該ファイルにアクセスがないことを条件に前記報知手段による報知を終了した後、削除する請求項２記載の画像処理装置。
【請求項４】
前記削除手段は、
前記報知手段で報知されたファイルを指定した第１条件、エンベットウェブサーバーから指定した第２条件、画像記憶後に予め定めた期間が経過した第３条件、及び前記転送が予め定めた回数に達した第４条件を含む削除指示条件の何れかによって実行される請求項３記載の画像処理装置。
【請求項５】
前記副ネットワーク環境下であることを識別する際に、転送要求元との区別が可能な識別情報を持たせる請求項１〜請求項４の何れか１項記載の画像処理装置。
【発明の詳細な説明】
【技術分野】
【０００１】
本発明は、画像処理装置に関する。
【背景技術】
【０００２】
特許文献１には、過去の履歴に基づき、転送先を決定することが記載されている。
【０００３】
特許文献２には、ファイルのパスワード暗号化方法が記載されており、ユーザＩＤや複合機の個体情報を使った解決策で、パスワードを忘れた場合でも別の手段で複合可能な解決策を提示している。
【０００４】
特許文献３には、スキャンファイルの転送先情報を管理サーバで管理し、送信可能な格納先を自動的に決定する方法が記載されている。
【先行技術文献】
【特許文献】
【０００５】
【特許文献１】特開２０１０−２５１９７３号公報（特許第５３７１５２４号）
【特許文献２】特開２０１４−１３１１２４号公報（特許第５９１１７９５号）
【特許文献３】特開２０１１−１０１２０３号公報（特許第５１３１７０４号）
【発明の概要】
【発明が解決しようとする課題】
【０００６】
本発明は、パスワードの更新に依存せず、スキャンファイルの転送を継続的に実行することができる画像処理装置を得ることが目的である。
【課題を解決するための手段】
【０００７】
請求項１に記載の発明は、画像読取機能で画像を読み取って生成した後のファイルを、認証が必要な第１通信手順を用いた主ネットワーク環境の記憶領域に記憶すると共に、前記主ネットワーク環境下の転送要求元に対して転送する第１転送手段と、前記ファイルを、前記主ネットワーク環境の一部として構築され、かつ認証が不要な第２通信手順を用いた副ネットワーク環境の記憶領域に記憶すると共に、前記副ネットワーク環境下の転送要求元に対して転送する第２転送手段と、を有する画像処理装置である。
【０００８】
請求項２に記載の発明は、前記請求項１に記載の発明において、前記副ネットワーク環境下の転送要求元に対して、当該副ネットワーク環境下で記憶されたファイルに関する検索情報を報知する報知手段をさらに有し、前記報知手段は、前記画像読取機能で全ての画像を読み取り、かつ画像を前記副ネットワーク環境の記憶領域に記憶し終えた後、前記ファイルに関する検索情報を報知する。
【０００９】
請求項３に記載の発明は、前記請求項２に記載の発明において、前記副ネットワーク環境下で記憶されたファイルを削除する削除手段をさらに有し、前記削除手段は、前記ファイルの削除指示があったときに、当該ファイルにアクセスがないことを条件に前記報知手段による報知を終了した後、削除する。
【００１０】
請求項４に記載の発明は、前記請求項３に記載の発明において、前記削除手段は、前記報知手段で報知されたファイルを指定した第１条件、エンベットウェブサーバーから指定した第２条件、画像記憶後に予め定めた期間が経過した第３条件、及び前記転送が予め定めた回数に達した第４条件を含む削除指示条件の何れかによって実行される。
【００１１】
請求項５に記載の発明は、前記請求項１〜請求項４の何れか１項記載の発明において、前記副ネットワーク環境下であることを識別する際に、転送要求元との区別が可能な識別情報を持たせる。
【発明の効果】
【００１２】
請求項１に記載の発明によれば、パスワードの更新に依存せず、スキャンファイルの転送を継続的に実行することができる。
【００１３】
請求項２に記載の発明によれば、画像読取中のファイル名を報知を回避することができる。
【００１４】
請求項３に記載の発明によれば、報知しているのに、画像情報が存在しない事態を回避することができる。
【００１５】
請求項４に記載の発明によれば、複数の削除条件に対応することができる。
【００１６】
請求項５に記載の発明によれば、ＰＣ等の転送要求元と区別することができる。
【図面の簡単な説明】
【００１７】
【図１】本実施の形態に係る画像処理装置を含む通信回線網の概略図である。
【図２】本実施の形態に係る画像処理装置の正面図である。
【図３】本実施の形態に係る画像処理装置の制御系の構成を示すブロック図である。
【図４】メインコントローラ２６が、サブネットワークを構築し、第２転送環境（画像情報読取制御、ＰＣ１４への画像情報転送制御、及び画像情報削除制御）として機能するときの制御ブロック図である。
【図５】本実施の形態に係る第２転送環境の下で実行される、画像情報読取制御ルーチンを示すフローチャートである。
【図６】本実施の形態に係る第２転送環境の下で実行される、画像情報転送制御ルーチンを示すフローチャートである。
【図７】本実施の形態に係る第２転送環境の下で実行される、画像情報削除制御ルーチンを示すフローチャートである。
【図８】本実施の形態の実施例に係り、第１サブネットワークと第２サブネットワークとの間のアクセス許可の状況を示す概略図である。
【発明を実施するための形態】
【００１８】
図１に示される如く、本実施の形態に係る画像処理装置１０は、インターネット等の通信回線網１２に接続されている。通信回線網１２は、例えば、ＬＡＮ（ローカル・エリア・ネットワーク）又はインターネット回線であり、複数のＬＡＮが、ＷＡＮ（ワイド・エリア・ネットワーク）によって相互に接続されていてもよい。また、通信回線網１２を含む全ての通信回線網１２は、それぞれ有線接続である必要はない。すなわち、一部又は全部が無線によって情報を送受信する無線通信回線網であってもよい。
【００１９】
なお、図１では、２台の画像処理装置１０が接続されているが、この数は限定されるものではなく、１台でもよいし、３台以上であってもよい。
【００２０】
また、この通信回線網１２には、情報端末機器としての複数のＰＣ（パーソナルコンピュータ）１４が接続されている。ＰＣ１４は、本体１６と、ＵＩ（ユーザーインターフェイス）１８とを有している。ＵＩ１８は、表示部としてのモニタ１８Ｍと、入力操作部としてのキーボード１８Ｋ及びマウス１８Ｓを備える。
【００２１】
なお、図１では、３台のＰＣ１４が接続されているが、この数は限定されるものではなく、１台〜２台でもよいし、４台以上であってもよい。また、情報端末機器としては、ＰＣ１４に限定されるものではなく、さらには有線接続である必要もない。すなわち、無線によって情報を送受信する通信回線網であってもよい。
【００２２】
図１に示される如く、画像処理装置１０では、ＰＣ１４から当該画像処理装置１０に対して、遠隔で、例えばデータを転送して画像形成（プリント）指示操作を行なう場合、或いは使用者（ユーザ）が画像処理装置１０の前に立ち、各種操作によって、例えば、複写（コピー）、スキャン（画像読取）、ファクシミリ送受信等の処理を指示する場合がある。
【００２３】
図２には、本実施の形態に係る画像処理装置１０が示されている。画像処理装置１０は、記録用紙に画像を形成する画像形成部２０と、原稿画像を読み取る画像読取部２２と、ファクシミリ通信制御部２４を備えている。
【００２４】
画像読取部２２は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２５】
画像形成部２０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２６】
画像処理装置１０は、メインコントローラ２６を備えており、画像形成部２０、画像読取部２２、ファクシミリ通信制御部２４を制御して、例えば、画像読取部２２で読み取った原稿画像の画像データを一時的に記憶したり、読み取った画像データを画像形成部２０又はファクシミリ通信制御部２４、或いはＰＣ１４へ送出したりする。
【００２７】
メインコントローラ２６には前記通信回線網１２が接続され、ファクシミリ通信制御部２４には電話回線２７が接続されている。メインコントローラ２６は、例えば、通信回線網１２を介してＰＣ１４（サーバー、ホストコンピュータを含む）と接続され、画像データを受信したり、ファクシミリ通信制御部２４を介して電話回線２７を用いてファクシミリ受信及びファクシミリ送信を実行する役目を有している。
【００２８】
図３は、画像処理装置１０のメインコントローラ２６を中心とした制御系ブロック図である。
【００２９】
図３に示される如く、画像処理装置１０のメインコントローラ２６は、ＣＰＵ２６Ａ、ＲＡＭ２６Ｂ、ＲＯＭ２６Ｃ、入出力部２６Ｄ（以下Ｉ／Ｏ２６Ｄという）、及びこれらを接続するデータバスやコントロールバス等のバス２６Ｅを備えている。
【００３０】
Ｉ／Ｏ２６Ｄには、通信回線網１２との接続を可能とするネットワークＩ／Ｆ２８、ＵＩ３０（例えば、図１に示す、筐体前面側に設置されたタッチパネル３０Ａ及びハードキー３０Ｂ）が接続されている。
【００３１】
また、Ｉ／Ｏ２６Ｄには、画像読取部２２、画像形成部２０、及びファクシミリ通信制御部２４が接続されている。
【００３２】
さらに、Ｉ／Ｏ２６Ｄには、大規模記録媒体としてのハードディスク３２が接続されている。ハードディスク３２は、ＰＣ１４等から受け付けた画像情報、画像読取部２２で読み取った画像情報、及び、ファクシミリ通信制御部２４で受信した画像情報等を一時的に格納する。
【００３３】
（サブネットワークの構築）
ここで、メインネットワークである通信回線網１２を利用して、画像処理装置１０の画像読取部２２で読み取った画像情報を、例えば、Ｓｃａｎ  ｔｏ  ＳＭＢ（Server Message Block）の通信プロトコルにより、指定されたＰＣ１４へ転送することがなされている（以下、「第１転送環境」という）。
【００３４】
Ｓｃａｎ  ｔｏ  ＳＭＢは、転送情報として、ログインユーザ名（ＩＤ）及びログインパスワードが必要であり、このログインユーザ名（ＩＤ）及びログインパスワードを画像処理装置１０の転送先アドレスに登録する。
【００３５】
ところが、特に、ログインパスワードは、定期的に変更することが要求されるものであり、当該ログイパスワードが変更された場合、転送先アドレスに登録されたログインパスワードを更新しなければならない。
【００３６】
仮に、転送先アドレスに登録されたログインパスワードの更新を怠ると、読取画像情報の転送ジョブができない場合がある。
【００３７】
そこで、本実施の形態では、メインネットワークを利用したＳｃａｎ  ｔｏ  ＳＭＢの通信プロトコルによる転送環境である、前記第１転送環境とは別に、サブネットワーク３４（図３参照）を構築し、独自の通信プロトコルを用いた転送環境を構築した（以下、「第２転送環境」という）。
【００３８】
本実施の形態のメインコントローラ２６のＲＯＭ２６Ｃには、サブネットワーク構築プログラムが記録されている。
【００３９】
図３に示される如く、通信回線網１２によって接続された、特定の範囲内の全てのデバイス(本実施の形態では、画像処理装置１０とＰＣ１４)で構築されるメインネットワークの範囲内において、予め定めたＰＣ１４と画像処理装置１０との組み合わせのデバイス群で、第２転送環境による転送処理が可能なサブネットワーク３４を構築している。
【００４０】
例えば、図３では、図示した全てのデバイスをメインネットワークの範囲とした場合、サブネットワーク３４として、１台の画像処理装置１０と２台のＰＣ１４とで第１サブネットワーク３４Ａが構築されるとともに、１台の画像処理装置１０と１台のＰＣ１４とで第２サブネットワーク３４Ｂが構築される。以下の説明において、第１サブネットワーク３４Ａ又は第２サブネットワーク３４Ｂに限定しない場合は、単に、サブネットワーク３４とする。
【００４１】
本実施の形態における、サブネットワーク３４では、画像処理装置１０のハードディスク３２に設定したサブネットワーク管理領域３６（図４参照）が、サブネットワーク３４に属するＰＣ１４からアクセス可能なワークスペースとして共有される。
【００４２】
なお、図４では、サブネットワーク管理領域３６を便宜上、メインネットワーク管理領域３８と区画しているが、実際の管理領域は重複してもよい。
【００４３】
図４は、メインコントローラ２６が、サブネットワーク３４を構築し、第２転送環境（画像情報読取制御、ＰＣ１４への画像情報転送制御、及び画像情報削除制御）として機能するときの制御ブロック図である。なお、この図４の制御ブロック図は、メインコントローラのハード構成を限定するものではなく、一部又は全部の機能がソフトプログラムで実行するようにしてもよい。
【００４４】
（画像情報読取制御）
図４に示される如く、画像読取部２２は、画像情報取得部５０に接続されており、画像読取部２２では、原稿画像の読み取りが開始されると、読取画像情報を取得する。
【００４５】
画像情報取得部５０は転送環境判定部５２に接続され、設定されている転送環境が判定される。
【００４６】
この転送環境判定部５２で、メインネットワークにおける第１転送環境と判定された場合は、読み取った画像情報は、ハードディスク３２の記憶領域のメインネットワーク管理領域３８に送出する。第１転送環境では、例えば、ログインユーザ（ＩＤ）及び定期的に変更されるログインパスワードが必要なＳＭＢ転送が実行される。この第１転送環境における画像情報の取扱いに関しては、周知の転送制御であるため、詳細な説明を省略する。
【００４７】
また、転送環境判定部５２で、サブネットワーク３４における第２転送環境と判定された場合は、読み取った画像は、記憶実行部５４を介して、サブネットワーク管理領域３６の画像情報記憶部５６に記憶される。
【００４８】
記憶実行部５４は、検索情報生成部５８に接続されており、画像情報記憶部５６への画像情報の記憶が完了すると、読取画像の検索情報（ファイル名、読取日時等）の生成指示を通知する。
【００４９】
検索情報生成部５８は、表示リスト更新部６０に接続されている。表示リスト更新部６０では、生成した読取画像の検索情報に基づき、サブネットワーク管理領域３６の表示リスト記憶部６２に記憶されている表示リストを更新する。表示リストとは、ＰＣ１４からの問い合わせにより、読み取った画像のファイルが羅列された一覧表である。なお、一覧表の表示形態は、ファイル名の列挙、サムネイル画像等があるが、何れかの表示形態に限定されるものではない。
【００５０】
なお、サブネットワーク３４の中で、ＰＣ１４同士で情報の共有が可能であり、共有可能なファイルを表示する表示リストが存在する。このため、画像処理装置１０に設けた表示リスト（転送を目的とした画像ファイルの検索情報）を、ＰＣ１４同士の共有のための表示リストと識別することが好ましい。例えば、転送専用のファイルに対して目印（色、形、符号）を付加することが好ましい。
【００５１】
本実施の形態における画像情報読取制御では、時系列で画像情報を記憶した後、表示リストを更新するようにしている。すなわち、画像情報の記憶処理中は、新たなリストは表示されない構成である。
【００５２】
（ＰＣ１４への画像情報転送制御）
図４に示される如く、サブネットアクセス受付部６４では、ＰＣ１４からの、サブネットワーク管理領域３６の表示リスト記憶部６２に記憶されている表示リストの閲覧要求（以下、「リスト閲覧要求」という）及びサブネットワーク管理領域３６の画像情報記憶部５６に記憶されている画像情報の転送要求（以下、「画像情報転送要求」という）を受け付ける。
【００５３】
サブネットアクセス受付部６４は、サブネットワーク３４の範囲内のデバイス同士で、独自の通信プロトコルによって、秘匿性を持って通信可能な環境の下で通信が実行される。
【００５４】
サブネットアクセス受付部６４は、表示リスト読出部６６に接続されている。表示リスト読出部６６は、サブネットアクセス受付部６４からリスト閲覧要求を受けると、表示リスト記憶部６２にアクセスして、表示リストを読み出す。
【００５５】
表示リスト読出部６６は、表示リスト通知部６８に接続されており、表示リスト記憶部６２から読み出した表示リストを、要求元のＰＣ１４へ通知する。通知を受けたＰＣ１４のモニタ１８Ｍには、表示リストが表示されることになる。
【００５６】
また、サブネットアクセス受付部６４は、識別情報特定部７０に接続されている。識別情報特定部７０では、ＰＣ１４から指定された転送要求対象の画像情報の識別情報を特定し、画像情報読出部７２へ通知する。画像情報読出部７２は、識別情報を受けると、画像情報記憶部５６にアクセスして、該当する画像情報を読み出す。
【００５７】
画像情報読出部７２は、転送部７４に接続されており、画像情報記憶部５６から読み出した画像情報（ファイル）を、要求元のＰＣ１４へ転送する。転送を受けたＰＣ１４のモニタ１８Ｍには、転送された画像情報ファイル（ファイル名、転送日時等）が表示されることになる。
【００５８】
（画像情報削除制御）
図４に示される如く、削除実行判定部７６には、ＰＣ１４及びサブネットワーク管理領域３６の履歴部７８から、削除に関する条件（削除条件）を受け付けるようになっている。
【００５９】
ＰＣ１４から受け付ける削除条件の種類は、（１）ユーザ指定による削除指示、及び、（２）ＥＷＳ（エンベットウェブサーバー）から指定される削除指示である。
【００６０】
一方、履歴部７８から受け付ける削除条件の種類は、（３）画像情報を記憶した後、一定期間が経過したファイルの削除指示、及び、（４）画像情報の転送回数が予め設定した回数に達したファイルの削除指示である。
【００６１】
削除実行判定部７６では、受け付けた削除条件が成立しているか否かを判定し、条件成立時には、転送状況認識部８０へ削除指示を通知する。
【００６２】
なお、削除実行判定部７６は、削除条件（１）及び（２）に対して、指示された読取画像ファイルが、権限のあるユーザからであるか否かを判定する。また、削除実行判定部７６は、削除条件（３）及び（４）に対して、それぞれの設定値（一定期間又は設定回数）に到達したか否かを判定する。
【００６３】
転送状況認識部８０は、転送部７４に接続されており、当該転送部７４から転送中か否かの情報、転送中の場合の対象画像情報を取得して、現在の転送状況を認識する。
【００６４】
転送状況認識部８０は、リスト削除指示部８２に接続されており、転送状況の認識の下、削除指示された画像情報が転送されていないことが認識された時点で、リスト削除指示部８２に対して、表示リスト記憶部６２に記憶されている表示リストから該当する画像情報のリストを削除する。
【００６５】
リスト削除指示部８２は、画像情報削除指示部８４に接続されており、表示リストからの削除が完了した時点で、当該画像情報削除指示部８４に対して画像情報の削除実行を指示する。
【００６６】
画像情報の削除実行の指示を受けた画像情報削除指示部８４では、サブネットワーク管理領域３６の画像情報記憶部５６にアクセスして、該当する画像情報を削除する。
【００６７】
本実施の形態における画像情報削除制御では、時系列で表示リストから削除対象のリストを削除した後、画像情報を削除するようにしている。すなわち、画像情報の削除処理中に、リストは表示されない構成である。
【００６８】
以下に本実施の形態の作用を、図５〜図７のフローチャートに従い説明する。
【００６９】
（画像情報読取制御の流れ）
図５は、本実施の形態に係る第２転送環境の下で実行される、画像情報読取制御ルーチンを示すフローチャートである。
【００７０】
ステップ１００では、転送環境を判定する。ステップ１００で第１転送環境であると判定された場合は、ステップ１０２へ移行して、その他処理が実行され、このルーチンは終了する。その他処理とは、例えば、ＳＭＢ転送等の他の転送手段での転送処理をいう。
【００７１】
また、ステップ１００で第２転送環境であると判定された場合は、ステップ１０４へ移行して、指定されたサブネットワーク３４に対応するハードディスク３２上でのサブネットワーク管理領域３６の画像情報記憶部５６にアクセスし、次いでステップ１０６へ移行して読み取った画像情報の記憶を実行する。なお、原稿からの読み取りの場合、そのページ数に応じて、読み取り→画像情報記憶が繰り返される。
【００７２】
ステップ１０８では、全情報（全ページ）の記憶が完了したか否かを判断し、肯定判定されると、ステップ１１０へ移行して、読み取った画像情報の検索情報（ファイル名、読み取り日時等）を生成する。
【００７３】
次のステップ１１２では、指定されたサブネットワーク３４に対応するハードディスク３２上でのサブネットワーク管理領域の表示リスト記憶部６２にアクセスし、ステップ１１４へ移行して表示リストを更新する。
【００７４】
すなわち、画像情報読取制御では、時系列で画像情報を記憶した後、表示リストを更新するため、画像情報の記憶処理中は、新たなリストは表示されない。
【００７５】
（ＰＣ１４への画像情報転送制御の流れ）
図６は、本実施の形態に係る第２転送環境の下で実行される、画像情報転送制御ルーチンを示すフローチャートである。
【００７６】
ステップ１２０では、特定のサブネットワーク３４にアクセスがあったか否かを判断し、否定判定された場合は、このルーチンは終了する。
【００７７】
また、ステップ１２０で肯定判定されると、ステップ１２２へ移行して、ステップ１２０でのアクセスの認証が許可（ＯＫ）されたか否かを判断する。このステップ１２２で否定判定された場合は、ステップ１２４へ移行して、非認証対応処理を実行し、このルーチンは終了する。非認証対応処理とは、アクセスを拒否する、認証手続を実行するといった処理をいう。
【００７８】
また、ステップ１２２で肯定判定されると、ステップ１２６へ移行して、要求を判別する。
【００７９】
ステップ１２６で判別された要求が表示リストの閲覧である場合は、ステップ１２８へ移行して指定されたサブネットワーク３４に対応するハードディスク３２上でのサブネットワーク管理領域３６の表示リスト記憶部６２へアクセスし、ステップ１３０へ移行する。
【００８０】
ステップ１３０では、表示リスト記憶部６２から表示リストを読み出し、次いで、ステップ１３２へ移行して表示リストの情報を、要求元のＰＣ１４へ送出し、このルーチンは終了する。
【００８１】
一方、ステップ１２６で判別された要求が画像情報の転送である場合は、ステップ１３４へ移行して指定されたサブネットワーク３４に対応するハードディスク３２上でのサブネットワーク管理領域３６の画像情報記憶部５６へアクセスし、ステップ１３６へ移行する。
【００８２】
ステップ１３６では、画像情報記憶部５６から指定の画像情報（ファイル）を読み出し、次いで、ステップ１３８へ移行して画像情報（ファイル）を、要求元のＰＣ１４へ転送し、このルーチンは終了する。
【００８３】
（画像情報削除制御の流れ）
図７は、本実施の形態に係る第２転送環境の下で実行される、画像情報削除制御ルーチンを示すフローチャートである。
【００８４】
ステップ１５０では、削除条件が成立しているか否かを判定する。
【００８５】
削除条件は、（１）ユーザ指定による削除指示、（２）ＥＷＳ（エンベットウェブサーバー）から指定される削除指示、（３）画像情報を記憶した後、一定期間が経過したファイルの削除指示、及び、（４）画像情報の転送回数が予め設定した回数に達したファイルの削除指示である。
【００８６】
ステップ１５０で肯定判定（上記削除条件（１）〜（４）の条件成立）されると、ステップ１５２へ移行して、転送状況を確認し、ステップ１５４へ移行する。
【００８７】
ステップ１５４では、削除対象に該当する画像情報は転送中か否かを判定する。このステップ１５４で肯定判定された場合は、転送が終了する（否定判定）まで待機する。ステップ１５４で否定判定されると、転送が終了したと判断し、ステップ１５６へ移行して、指定されたサブネットワーク３４に対応するハードディスク３２上でのサブネットワーク管理領域３６の表示リスト記憶部６２にアクセスし、次いで、ステップ１５８へ移行して表示リストから、該当する検索情報を削除し、ステップ１６０へ移行する。
【００８８】
ステップ１６０では、指定されたサブネットワーク３４に対応するハードディスク３２上でのサブネットワーク管理領域３６の画像情報記憶部５６にアクセスし、次いで、ステップ１６２へ移行して、該当する画像情報（ファイル）を削除し、このルーチンは終了する。
【００８９】
すなわち、画像情報削除制御では、時系列で表示リストから削除対象のリストを削除した後、画像情報を削除するため、画像情報の削除処理中に、リストは表示されない。
【００９０】
（転送方式の比較）
本実施の形態では、メインネットワークを利用したＳｃａｎ  ｔｏ  ＳＭＢの通信プロトコルによる転送環境である、第１転送環境とは別に、サブネットワーク３４（図３参照）を構築し、独自の通信プロトコルを用いた転送環境を構築することで、秘匿性を維持しつつ、適宜更新されるログインパスワードの変更に依存せず、読取画像の転送を可能としている。
【００９１】
比較例として、保存文書を自在に、閲覧、活用自由に閲覧可能な、特定ワークスペースが存在する。この特定ワークスペースでは、読取画像情報を保存し、ＰＣ１４から取り出すことが可能であるが、この特定ワークスペース内の読取画像情報は、Ｗｅｂブラウザからの取り出し、ＴＷＡＩＮ対応アプリケーションへの取り込み、画像処理装置１０のＵＩ３０（タッチパネル３０Ａ）へのサムネイル表示、プレビュー表示も可能であり、第１転送（Ｓｃａｎ  ｔｏ  ＳＭＢ通信）及び第２転送（サブネットワーク通信）に比べて、セキュリティ性が乏しい。
【００９２】
上記本実施の形態の機能と、比較例とを比較する。表１は、特定ワークスペース、第１転送環境（一例として、Ｓｃａｎ  ｔｏ  ＳＭＢ通信）、及び本実施の形態の第２転送環境（サブネットワーク通信）との間の通信形態の対照関係を示したものである。
【００９３】
【表１】
2018164135.tif 000003
【００９４】
ここで、比較例１の特定ワークスペースにおける通信プロトコル（ＷｅｂＤＡＶ）は、比較例２のＳＭＢや、本実施の形態の独自ＵＤＰ（暗号化）に比べて自由すぎる点が特徴である。従って、ログインパスワードが不要、かつ、秘匿性を維持するには、本実施の形態の第２転送環境が最適であることがわかる。
【実施例】
【００９５】
図８は、第１サブネットワーク３４Ａと第２サブネットワーク３４Ｂとの間のアクセス許可の状況を示す概略図である。
【００９６】
第１サブネットワーク３４Ａに属する３台のＰＣ１４の内、２台のＰＣ１４は、本実施の形態に係る第２転送環境の下で独自の通信プロトコルを持ち、サブネットワーク管理領域３６での画像情報の転送が可能であり、１台のＰＣ１４（図８に一点鎖線で図示）は、独自の通信プロトコルを持っておらず、画像情報の転送ができない。
【００９７】
第２サブネットワーク３４Ｂに属する１台のＰＣ１４は、本実施の形態に係る第２転送環境の下で独自の通信プロトコルを持ち、サブネットワーク管理領域３６での画像情報の転送が可能である。
【００９８】
一方、第１サブネットワーク３４Ａと第２サブネットワーク３４Ｂとの間では、本実施の形態に係る第２転送環境の下で独自の通信プロトコルを持っていても、相互に画像情報の転送は不可となる。
【００９９】
すなわち、単一のサブネットワーク３４の中では、独自の通信プロトコルを持っていれば、ログイパスワードが無くても、画像処理装置１０で読み取った画像情報を取得可能である。しかし、異なるサブネットワーク３４間（図８では、第１サブネットワーク３４Ａと第２サブネットワーク３４Ｂとの間）では、画像処理装置１０で読み取った画像情報を取得不可となり、秘匿性が維持される。
【符号の説明】
【０１００】
１０    画像処理装置
１２    通信回線網
１４    ＰＣ
１６    本体
１８    ＵＩ
１８Ｍ    モニタ
１８Ｋ    キーボード
１８Ｓ    マウス
２０    画像形成部
２２    画像読取部
２４    ファクシミリ通信制御部
２６    メインコントローラ
２６Ａ    ＣＰＵ
２６Ｂ    ＲＡＭ
２６Ｃ    ＲＯＭ
２６Ｄ    Ｉ／Ｏ
２６Ｅ    バス
２７    電話回線
２８    ネットワークＩ／Ｆ
３０    ＵＩ
３０Ａ    タッチパネル
３０Ｂ    ハードキー
３２    ハードディスク
３４    サブネットワーク
３４Ａ    第１サブネットワーク
３４Ｂ    第２サブネットワーク
３６    サブネットワーク管理領域
３８    メインネットワーク管理領域
５０    画像情報取得部
５２    転送環境判定部
５４    記憶実行部
５６    画像情報記憶部
５８    検索情報生成部
６０    表示リスト更新部
６２    表示リスト記憶部
６４    サブネットアクセス受付部
６６    表示リスト読出部
６８    表示リスト通知部
７０    識別情報特定部
７２    画像情報読出部
７４    転送部
７６    削除実行判定部
７８    履歴部
８０    転送状況認識部
８２    リスト削除指示部
８４    画像情報削除指示部
【図１】
2018164135.tif 000004
【図２】
2018164135.tif 000005
【図３】
2018164135.tif 000006
【図４】
2018164135.tif 000007
【図５】
2018164135.tif 000008
【図６】
2018164135.tif 000009
【図７】
2018164135.tif 000010
【図８】
2018164135.tif 000011